(57)【特許請求の範囲】
【請求項１】
遊技盤の背面を臨ませる窓を有する枠状で、前記窓の下方には、前記遊技盤の入賞口に入賞した遊技球を集合させる入賞球集合通路と前記遊技盤のアウト穴に流入した遊技球を排出するアウト球排出路を備え、一方の側辺部から前記窓の下方にかけては、払出装置によって払出された遊技球を導く賞球通路を備え、前記払出装置、弾球遊技機の外部の外部電線を接続するための外部接続端子、遊技盤に取付られた変動入賞装置の動作を制御する制御装置および弾球遊技機の各部に接続されている内部電線と前記制御装置との間に介在する中継基板を保持し、前記遊技盤の背後に取り付けられる裏機構盤において、
前記入賞球集合通路およびアウト球排出路を形成する部分を第１構造層となし、
該第１構造層の背後に接する第２構造層として前記賞球通路を設け、
前記第１構造層の背後で前記第２構造層が設けられていない部分を基板収納部として該基板収納部に前記中継基板を配し、
前記第２構造層の背後から前記基板収納部におよぶ一連の空間を溝状として前記内部電線を収容するための配線層とした
ことを特徴とする裏機構盤。
【請求項２】
請求項１記載の裏機構盤において、
前記制御装置を収容する基板ケースを前記基板収容部の背後側に開閉自在に配して前記配線層のカバーを兼ねさせ、該配線層の前記基板ケースで覆われない部分の蓋となる開閉自在の配線カバーを設けたことを特徴とする裏機構盤。
【請求項３】
請求項１または２記載の裏機構盤において、
前記第１構造層または第２構造層内の遊技球を検出するためのセンサ類、前記第１構造層または第２構造層に配される可動部品を駆動するためのソレノイドは、全て前記配線層からまたは前記配線層側に開口する着脱口からから着脱可能としたことを特徴とする裏機構盤。
【請求項４】
請求項１ないし３のいずれか記載の裏機構盤において、
前記第１構造層を前記第２構造層側に対して開閉自在としたことを特徴とする裏機構盤。
【発明の詳細な説明】
【０００１】
【発明の属する技術分野】
本発明は、弾球遊技機の裏機構盤に関する。
【０００２】
【従来の技術】
例えばパチンコ機やアレンジボール式パチンコ機等の弾球遊技機は、遊技球の払出のための通路および遊技盤面を通過した遊技球（使用済みの遊技球）の排出のための通路等を遊技盤の背面に配していた。普通、これらの通路等は裏機構盤の一部として設けられていて、この裏機構盤はまた制御装置（制御基板とも言われる）、外部接続端子を備える外部接続基板、制御装置と入賞装置、センサ類、ソレノイドおよびモータ等とを中継する中継基板等の基板類や払出装置を保持する役割も果たしている。
【０００３】
したがって、裏機構盤には、信号線や電力線等の様々な電線が多量に装着されている。従来、これらの電線は、裏機構盤に取り付けられる部品の配置や配線の都合に応じて、適宜結束されたり、フラットケーブルを使用したりして、乱雑にならないように、またできるだけコンパクトになるように配線されていた。
【０００４】
【発明が解決しようとする課題】
ところで、電線の被覆には塩化ビニルが用いられているので、これを焼却した場合には有害な塩素化合物が発生することが知られている。一方、裏機構盤本体は、ポリエチレンテレフタレート（ＰＥＴ）等の、塩素を含まないプラスチックを使用することが多い。したがって、裏機構盤自体は、例えば焼却したり、再生原料とすることが比較的簡単である。しかし、そこに電線すなわち塩化ビニルが混在すると、そのまま焼却したり再生原料とするわけにはいかなかった。よって、裏機構盤の廃棄にあたっては、少なくとも電線と裏機構盤本体とを分別する必要があった。
【０００５】
ところが、従来の裏機構盤では、製造工程の都合やメンテナンスの都合が優先していて、例えば電線の取り外し易さといった、廃棄の都合はあまり考慮されていなかった。
本発明は、廃棄の妨げになる電線を簡単に取外し可能な裏機構盤を提供することを目的としている。
【０００６】
【課題を解決するための手段および発明の効果】
上記課題を解決するための請求項１記載の裏機構盤は、遊技盤の背面を臨ませる窓を有する枠状で、前記窓の下方には、前記遊技盤の入賞口に入賞した遊技球を集合させる入賞球集合通路と前記遊技盤のアウト穴に流入した遊技球を排出するアウト球排出路を備え、一方の側辺部から前記窓の下方にかけては、払出装置によって払出された遊技球を導く賞球通路を備え、前記払出装置、弾球遊技機の外部の外部電線を接続するための外部接続端子、遊技盤に取付られた変動入賞装置の動作を制御する制御装置および弾球遊技機の各部に接続されている内部電線と前記制御装置との間に介在する中継基板を保持し、前記遊技盤の背後に取り付けられる裏機構盤において、前記入賞球集合通路およびアウト球排出路を含む部分を第１構造層となし、該第１構造層の背後に接する第２構造層として前記賞球通路を設け、前記第１構造層の背後で前記第２構造層が設けられていない部分を基板収納部として該基板収納部に前記中継基板を配し、前記第２構造層の背後から前記基板収納部におよぶ一連の空間を溝状として前記内部電線を収容するための配線層としたことを特徴とする。
【０００７】
つまり、内部配線は、裏機構盤の最も背面側に、しかも賞球通路に沿った場所に集中的に配されることになる。このため、内部配線の配線作業自体が簡単になると共に、内部配線の取外し作業も簡単になる。よって、裏機構盤の廃棄に際して、塩化ビニルを含む電線と他のプラスチックとの分別が簡単で、裏機構盤の廃棄にきわめて好適である。
【０００８】
また、基板収納部に中継基板を配するから、裏機構盤の奥行きすなわち弾球遊技機の奥行きを小さくする効果もある。
配線層は、必ずしもカバーを必要とはしないが、ほこりなどによる障害を防止するためには、カバーを設けた方がよい。その場合、請求項２記載のようにするとよい。
【０００９】
すなわち、請求項２記載の裏機構盤は、請求項１記載の裏機構盤において、前記制御装置を収容する基板ケースを前記基板収容部の背後側に開閉自在に配して前記配線層のカバーを兼ねさせ、該配線層の前記基板ケースで覆われない部分の蓋となる開閉自在の配線カバーを設けたことを特徴とする。
【００１０】
請求項２記載の裏機構盤では、配線層のカバーの一部を基板ケースに兼ねさせているので、全体として部品量を減らすことができる。
しかも、基板ケースおよび配線カバーが、裏機構盤に対して開閉自在であるので、通常はこれらを閉じておき、例えば内部配線の保守や点検時、あるいは廃棄にあたって内部配線を取外す際には、これらを開いて作業することができる。したがって、基板ケースおよび配線カバーが内部配線に関わる作業を阻害することはない。
【００１１】
ところで、裏機構盤には、例えば入賞球集合通路によって集合させられた遊技球を１球ずつ排出するための機構（例えば実開平５−１５９８６号公報に開示される入賞球排出装置）や球抜き装置を作動させる際に遊技球の排出経路を切り換えるための機構（例えば特開平７−１８５０９２号に開示される球抜き装置）等が組み込まれている。すなわち、遊技球を検出するためのセンサ類（センサやスイッチ）やソレノイドが取り付けられている。したがって、これらの取付と配線が必要になる。
【００１２】
請求項３記載の裏機構盤は、請求項１または２記載の裏機構盤において、前記第１構造層または第２構造層内の遊技球を検出するためのセンサ類、前記第１構造層または第２構造層に配される可動部品を駆動するためのソレノイドは、全て前記配線層からまたは前記配線層側に開口する着脱口から着脱可能としているので、これらセンサ類およびソレノイドの着脱は、すべて配線層側からの作業で行える。また、これらのセンサ類およびソレノイドに接続される内部電線も配線層から配線することができる。
【００１３】
よって、センサ類およびソレノイドの取付、取外し、これらに接続される内部配線の取付、取外しは、裏機構盤の背面側だけの作業で済み、その作業も簡単である。
さらに、請求項４記載のように、前記第１構造層を前記第２構造層側に対して開閉自在とすれば、配線層側からの作業だけでは着脱しにくいセンサ類やソレノイド等があっても、それらの着脱を一層簡単に行うことができる。
【００１４】
【発明の実施の形態】
次に、本発明の具体例を図面を参照して説明することにより発明の実施の形態を説明する。
【００１５】
【具体例】
図１に示すように本具体例の裏機構盤１０は、本体部となるバックフレーム１２を中心に構成されている。
バックフレーム１２の中央部分には、図示しない遊技盤の背面を臨ませる窓１４が設けられており、バックフレーム１２は全体として枠状である。バックフレームの上部の中央部から左側にかけては賞球タンク１６が取付けられる。賞球タンク１６の底にはレバー穴１８が設けられており、このレバー穴１８の内側にはタンクレバー２０が配される。タンクレバー２０は、軸受２２をバックフレーム１２に立設された軸ピンに外嵌させることでバックフレーム１２に取付けられており、タンクレバー２０は、賞球タンク１６内の遊技球の荷重すなわち遊技球の有無に応じて、軸ピンを中心にして昇降変化する。また、バックフレーム１２には、タンクレバー２０の直下にタンクスイッチ２４が取付けられている。詳しくは、タンクレバー２０の突起２６がタンクスイッチ２４の作動片２８上となる位置関係で、タンクレバー２０とタンクスイッチ２４が配されており、タンクレバー２０の昇降に応じてタンクスイッチ２４をオン、オフ変化させることができる。
【００１６】
バックフレーム１２の賞球タンク１６の下側には、タンクスイッチ２４を覆うようにしてレール背板３０が取付けられ、そのレール背板３０には整列レール３２が取付けられ、整列レール３２内に１条、整列レール３２とレール背板３０との間に１条、合計２条の整列通路が設けられている。また、レール背板３０と整列レール３２の間には、バックフレーム１２に立設された軸ピンによって保持される整流梃子３６が配され、整列レール３２の下流端には整列板３８が取付けられている。
【００１７】
バックフレーム１２の右上隅には外部中継基板取付部４０が設けられており、ここに外部中継基板４２が取付けられ、その外部中継基板４２を覆う中継基板カバー４４が取付けられる。
外部中継基板取付部４０の下方にはバイパス部４６が設けられており、このバイパス部４６を覆うようにして払出装置４８が取付けられる。ただし、払出装置４８はバイパス部４６を満たすわけではなく、払出装置４８とバイパス部４６との間に電線束を通すことができる。
【００１８】
この払出装置４８は、例えば特開平５−４２２４８号公報に開示されるような、フライトスクリュの回転により遊技球を払出す構造で、その球入口（図示しない）は整列レール３２の下流端に接続され、整列レール３２を通過した遊技球が払出装置４８に流入する。また、払出装置４８の球出口（図示しない）は、バックフレーム１２の背面側に突出して設けられた賞球樋入口５０に接続される。
【００１９】
図２に示すように、バックフレーム１２の前面側には、賞球樋入口５０に連通する賞球樋５２が設けられている。賞球樋５２の下流側にはコの字状の上皿誘導部材５４（図１参照）が配設されており、上皿誘導部材５４の上方にはベル５５（図１参照）が設置されている。賞球樋５２を通過した遊技球は、ベル５５に衝突してこれを鳴らしてから上皿誘導部材５４上に至り、上皿誘導部材５４により前面側（紙面表側）に誘導され、弾球遊技機の前面に設けられている上受皿に放出される。
【００２０】
また、上皿誘導部材５４の図２における左側から下方にかけては下皿誘導樋５６が設けられており、その下流端は下皿排出口５８として開放されている。この下皿排出口５８は、弾球遊技機の前面下部に設けられている下受皿に接続される。こうした構成により、上受皿が満杯となって上皿誘導部材５４までもが遊技球で満たされた場合には、賞球樋５２を流下してきた遊技球は、上皿誘導部材５４に流入できないので、下皿誘導樋５６により下受皿へと導かれて放出される。
【００２１】
さらに、賞球樋５２には、切換レバー６０（図１参照）によって通断される球抜樋６２が接続されている。この球抜樋６２の下流端は球排出口６４として開放されており、遊技球を機外（例えば遊技機設置島の球回収樋）に排出できる。なお、切換レバー６０は、通常は図示の位置とされており、賞球樋５２から球抜樋６２に遊技球が流入することはない。
【００２２】
そして、バックフレーム１２には、前面側から背面側に貫通するセレクタ着脱口６６が、球抜樋６２に隣接して設けられている。
なお、このバックフレーム１２の前面側のうち、賞球樋入口５０付近から下皿排出口５８の右側にわたる部分は、図１に示されるサブフレーム６５によって覆われ、その際には溝状の賞球樋５２、下皿誘導樋５６、球抜樋６２等は蓋をされた状態となるので（賞球樋５２については図３参照）、これらを通過する遊技球が漏出することはない。
【００２３】
図１に示すように、サブフレーム６５は全体として略Ｌ字状の板で、上皿誘導口６７、排出導入口６９、セレクタ用切欠７１等が設けられており、外周に設けられた複数の係合爪によってバックフレーム１２に係合、装着される。そして、バックフレーム１２に装着された際には、図２に示されるように、上皿誘導口６７は上皿誘導部材５４を臨ませる位置となり、排出導入口６９は球抜樋６２の下流端付近に連通する位置となり、セレクタ用切欠７１はセレクタ着脱口６６に整合する位置となる。
【００２４】
図１および図２に示すように、バックフレーム１２の左側の辺には鋼製の裏枠ヒンジ６８が取付けられている。裏枠ヒンジ６８の上下端部にはそれぞれヒンジ軸７０、７２が固定されており、裏機構盤１０は、これらヒンジ軸７０、７２を介して弾球遊技機の本体側に揺動可能に取付けられる。
【００２５】
また、裏枠ヒンジ６８の下方には、カバー支持軸７４が設けられている。カバー支持軸７４には図１に示されるフレームカバー７６の軸保持部７８が外嵌され、フレームカバー７６はカバー支持軸７４を中心にして揺動可能であるが、通常はバックフレーム１２（サブフレーム６５）に接する位置とされる。
【００２６】
フレームカバー７６の背面側には傾斜板８０、８２および整列板８４によって入賞球集合通路８６が形成されている。この入賞球集合通路８６の下流端には証拠球検出センサ８８、セレクタレバー９０およびセレクタソレノイド９２が設置され、入賞球集合通路８６を流下してきた遊技球を、証拠球検出センサ８８で検出し、セレクタソレノイド９２によりセレクタレバー９０を往復駆動することにより、１球ずつ通過させることができる。セレクタレバー９０の往復動によって入賞球集合通路８６から導入、排出された遊技球は、下方に配されている証拠球排出板９４上に落下し、凹部９６から排出導入口６９を通過して球抜樋６２に流入し、球排出口６４から機外に排出される（図２参照）。
【００２７】
これら証拠球検出センサ８８、セレクタレバー９０およびセレクタソレノイド９２が設置されている位置は、フレームカバー７６を閉じたとき（バックフレーム１２（サブフレーム６５）に接する位置にしたとき）に、サブフレーム６５のセレクタ用切欠７１およびバックフレーム１２のセレクタ着脱口６６に対応する位置であり、フレームカバー７６を閉じた状態では、セレクタレバー９０の一部とセレクタソレノイド９２はセレクタ着脱口６６内に進入している。
【００２８】
また、凹部９６には証拠球排出板９４とは反対側にアウト球排出板９８が設けられ、アウト球排出板９８の上方且つ傾斜板８０の下方にアウト球導入口１００が設けられている。このアウト球導入口１００は、遊技盤のアウト穴の背後に接続され、アウト穴を通過した遊技球（アウト球）が流入する。アウト球はアウト球導入口１００からアウト球排出板９８上に落下し、凹部９６から排出導入口６９を通過して球抜樋６２に流入し、球排出口６４から機外に排出される（図２参照）。
【００２９】
さらに、傾斜板８２と整列板８４の間には上皿誘導樋１０２が開口している。この上皿誘導樋１０２は上皿誘導口６７に整合する位置にあり、払出装置４８から排出され賞球樋５２を流下して上皿誘導部材５４に流入した遊技球は、上皿誘導口６７を通って上皿誘導樋１０２に流入し、上皿誘導樋１０２から上受皿に向けて排出される。
【００３０】
ここでバックフレーム１２の説明に戻る。バックフレーム１２の背面側には賞球樋５２の上端部が突出しており、この突出部分に隣接して溝状のネック部１０４が形成されている。その下方の、窓１４の縁部とバックフレーム１２の側縁との間の部分すなわち賞球樋５２の背面側となる部分（図３参照）には、溝状の縦誘導部１０６が形成されている。縦誘導部１０６のほぼ中央および下端の狭隘部にはクランプ１０８、１１０が配されている。狭隘部を介して縦誘導部１０６に連なるＣＲ基板収容部１１２には、カードリーダ装置（ＣＲ）との信号の送受のためのＣＲ基板１１４が取付けられる。またＣＲ基板収容部１１２の上方には切換ソレノイド１１６が設置され、この切換ソレノイド１１６にて切換レバー６０を駆動してポジションを変更することができる。ＣＲ基板収容部１１２には２個のピン受１１８、１２０が立設され、それらの左側には満タンスイッチ収容部１２２と横誘導部１２４が設けられている。
【００３１】
満タンスイッチ収容部１２２には、下皿誘導樋５６（図１には示さない、図２参照）内の遊技球の球圧で揺動変位するスイッチレバー１２６と、このスイッチレバー１２６によってオン、オフされる満タンスイッチ１２８が配設され、下皿誘導樋５６内すなわち図示しない下受皿が遊技球で満たされているか否かを検出可能である。
【００３２】
満タンスイッチ収容部１２２の上方に位置する横誘導部１２４の中央部にはクランプ１３０が配されている。この溝状の横誘導部１２４は、一方の側でＣＲ基板収容部１１２に連なり他方の側では中継基板収納部１３２に連なっている。この中継基板収納部１３２は背面側が開口する箱状で、中継基板１３６を収容する。また、前面側にはフレームカバー７６のピン通穴１３８に対応するピン受穴１３４が貫設されており、フレームカバー７６を閉じてピン通穴１３８に貫通させたロックピン１４０をピン受穴１３４に嵌合させれば、フレームカバー７６を閉じた状態に保持でき、このロックピン１４０の嵌合を解除すればフレームカバー７６を開閉できる。
【００３３】
さらに、バックフレーム１２の背面側には、ハーネスカバー１４２および制御装置（メイン基板）１４４を収容する基板ケース１４５が取付けられる。次に、これらについて説明する。
ハーネスカバー１４２は、縦誘導部１０６、セレクタ着脱口６６、ＣＲ基板収容部１１２および切換ソレノイド１１６等を覆うもので、ほぼＬ字状をしている。ハーネスカバー１４２の側縁には軸ピン１４３、１４６が設けられており、これら軸ピン１４３、１４６をバックフレーム１２の軸受１４８、１５０に挿入することでバックフレーム１２に取付けられ、軸ピン１４３、１４６を軸として開閉可能である。また、軸ピン１４６とは反対側の縁部にはピン通穴１５２、１５４が設けられており、ハーネスカバー１４２を閉じてピン通穴１５４に貫通させたロックピン１５６をピン受１２０に嵌合させれば、ハーネスカバー１４２を閉じた状態に保持でき、このロックピン１５６の嵌合を解除すればハーネスカバー１４２を開閉できる。ハーネスカバー１４２を閉じた際には、図３に示されるようにバックフレーム１２とハーネスカバー１４２との間には、例えば樋状の空間が形成される。
【００３４】
基板ケース１４５は、ボードケース１５８とボードカバー１６０とからなり、両者は、制御装置１４４を収納した状態で接合されてバックフレーム１２に取付けられる。詳しくは、ボードケース１５８に設けられた軸受１６２、１６４をバックフレーム１２の軸ピン１６６、１６８に外嵌させることにより、バックフレーム１２に対して開閉可能に取付けられる。なお、ボードケース１５８の耳１７０には、ハーネスカバー１４２のピン通穴１５２およびバックフレーム１２のピン受１１８に対応するピン通穴１７２が貫設されており、ハーネスカバー１４２を閉じてから基板ケース１４５を閉じて、ピン通穴１７２およびピン通穴１５２に貫通させたロックピン１７４をピン受１１８に嵌合させれば、基板ケース１４５を閉じた状態に保持でき、このロックピン１７４の嵌合を解除すれば基板ケース１４５をバックフレーム１２に対して開閉できる。なお、制御装置１４４は、遊技盤に取付られた変動入賞装置等の動作を制御するもので、その構造や機能は周知であるので説明を省略する。
【００３５】
この裏機構盤１０では、制御装置１４４の入出力はすべて中継基板１３６にて中継される。したがって、中継基板１３６には、外部中継基板４２に接続される電線、ＣＲ基板１１４に接続される電線、払出装置４８に接続される電線、タンクスイッチ２４、切換ソレノイド１１６、満タンスイッチ１２８、証拠球検出センサ８８およびセレクタソレノイド９２等のスイッチ類やソレノイド類に接続される電線のすべてが集中する。これらの電線は、それぞれから引き出され（証拠球検出センサ８８およびセレクタソレノイド９２からは、セレクタ着脱口６６を通して引き出され）、外部中継基板取付部４０、バイパス部４６、ネック部１０４、縦誘導部１０６、ＣＲ基板収容部１１２および横誘導部１２４にて形成される一連の溝状の配線通路１９０を通り、中継基板１３６に接続される。なお、バイパス部４６を通る電線は、払出装置４８とバイパス部４６との間を通される。
【００３６】
そして、これらの電線は、配線通路１９０内ではクランプ１０８、１１０、１３０によって保持され、ハーネスカバー１４２および基板ケース１４５を閉じることによって乱雑になったり背面側へ離脱するのを防止される。
また、上述したように、この裏機構盤１０においては、外部中継基板４２、払出装置４８、ＣＲ基板１１４、中継基板１３６、タンクスイッチ２４、切換ソレノイド１１６、満タンスイッチ１２８はバックフレーム１２の背面側に配され、一部のものは直接脱着でき、他のものも基板ケース１４５およびハーネスカバー１４２を揺動させて開放するかこれらを撤去すれば背面側から着脱できる。そして、フレームカバー７６に取付けられる証拠球検出センサ８８、セレクタレバー９０およびセレクタソレノイド９２は、サブフレーム６５のセレクタ用切欠７１およびバックフレーム１２のセレクタ着脱口６６に対応する位置とされているので、ハーネスカバー１４２を開放または撤去すれば、セレクタ着脱口６６を通じて着脱できる。もちろん、フレームカバー７６を開いて、または取り外して証拠球検出センサ８８、セレクタレバー９０およびセレクタソレノイド９２の着脱をしてもよい。
【００３７】
このように、すべての電線は配線通路１９０に集中され、電線および電線が接続される電気部品（基板、スイッチ、ソレノイド等）は、すべて背面側から着脱できる。また、その着脱作業もきわめて簡単である。すなわち、内部配線の配線作業自体が簡単になると共に、内部配線の取外し作業も簡単になる。よって、裏機構盤１０の廃棄に際して、塩化ビニルを含む電線と他のプラスチックとの分別が簡単で、裏機構盤１０の廃棄にきわめて好適である。
【００３８】
また、中継基板収納部１３２に中継基板１３６を配するから、裏機構盤１０の奥行きすなわち弾球遊技機の奥行きを小さくする効果もある。
しかも、制御装置１４４を収容する基板ケース１４５を中継基板収納部１３２の背後側に開閉自在に配して配線通路１９０のカバーを兼ねさせ、配線通路１９０の基板ケース１４５で覆われない部分の蓋となる開閉自在のハーネスカバー１４２を設けたので、ほこりなどの進入やほこり等による障害を防止できるし、配線通路１９０のカバーの一部を基板ケース１４５に兼ねさせているので、全体として部品量を減らすことができる。
【００３９】
しかも、基板ケース１４５およびハーネスカバー１４２が、バックフレーム１２に対して開閉自在であるので、通常はこれらを閉じておき、例えば内部配線の保守や点検時、あるいは廃棄にあたって内部配線を取外す際には、これらを開いて作業することができる。したがって、基板ケース１４５およびハーネスカバー１４２が内部配線に関わる作業を阻害することはない。
【００４０】
以上、具体例に従って、本発明の実施の形態について説明したが、本発明はこのような具体例に限定されるものではなく、本発明の要旨を逸脱しない範囲でさまざまに実施できることは言うまでもない。
【図面の簡単な説明】
【図１】  具体例の裏機構盤の分解斜視図である。
【図２】  具体例の裏機構盤のバックフレームの正面図である。
【図３】  図２のＡ−Ａ線による端面図である。
【符号の説明】
１０…裏機構盤、１２…バックフレーム（第２構造層）、１４…窓、１６…賞球タンク、２０…タンクレバー、２４…タンクスイッチ、３０…レール背板、３２…整列レール、４０…外部中継基板取付部（配線層）、４２…外部中継基板（外部接続端子）、４４…中継基板カバー、４６…バイパス部（配線層）、４８…払出装置、５０…賞球樋入口、５２…賞球樋（賞球通路）、５４…上皿誘導部材、５６…下皿誘導樋、５８…下皿排出口、６０…切換レバー（可動部品）、６２…球抜樋、６４…球排出口、６５…サブフレーム、６６…セレクタ着脱口（着脱口）、６７…上皿誘導口、６８…裏枠ヒンジ、６９…排出導入口、７１…セレクタ用切欠、７６…フレームカバー（第１構造層）、８０…傾斜板、８２…傾斜板、８４…整列板、８６…入賞球集合通路、８８…証拠球検出センサ、９０…セレクタレバー（可動部品）、９２…セレクタソレノイド、９４…証拠球排出板、９６…凹部（アウト球排出路）、９８…アウト球排出板（アウト球排出路）、１００…アウト球導入口（アウト球排出路）、１０２…上皿誘導樋、１０４…ネック部（配線層）、１０６…縦誘導部（配線層）、１０８…クランプ、１１２…ＣＲ基板収容部（配線層）、１１４…ＣＲ基板、１１６…切換ソレノイド、１１８…ピン受、１２０…ピン受、１２２…満タンスイッチ収容部、１２４…横誘導部（配線層）、１２６…スイッチレバー、１２８…満タンスイッチ、１３０…クランプ、１３２…中継基板収納部（基板収納部）、１３６…中継基板、１４２…ハーネスカバー、１４４…制御装置、１４５…基板ケース、１５８…ボードケース、１６０…ボードカバー、１９０…配線通路（配線層）。
【図１】
0004056109.tif 000002
【図２】
0004056109.tif 000003
【図３】
0004056109.tif 000004